(57)【特許請求の範囲】
【請求項１】
カーテン本体と、カーテン本体の上縁に沿って横方向に縫着されるフック取付け用のテープと、このテープに横方向に所定の相互間隔をおいて取り付けられる弾性合成樹脂製の複数のフックとを具備し、
前記テープは、横方向に長いテープ基体と、このテープ基体のカーテンへの接合面と反対の面上に重なって横方向に延長する重合片とを備え、
この重合片は、横方向に所定の相互間隔をおいて前記テープ基体と縦方向直線状に融合する左右一対の主融合部と、これら主融合部の左又は右に間隔をおいてテープ基体と縦方向直線状に融合部する第１及び第２の押さえ融合部とによってテープ基体につながり、
前記フックは、前記左右一対の主融合部の間に挿入して係止されるようにほぼＶ字状に湾曲した係止部と、この係止部の一方の上部から一方の主融合部の上縁を越え折り返して隣接する第１押さえ融合部との間へ挿入されるように湾曲して延出する鈎部と、係止部の他方の上部から他方の主融合部及び第２押さえ融合部の上縁を越え折り返して第２押さえ融合部の側方へ下降するように湾曲して延出するフック部とを具備し、かつ係止部、鈎部及びフック部が、ほぼ同一平面上に並ぶように弾性合成樹脂で一体に形成され、
前記フックの係止部は、前記一対の主融合部の対向面に係合するように突設された係合突子を具備し、
開放角度を弾性的に押し縮めつつ、前記係止部を左右一対の主融合部間へ圧入することによって、前記係合突子を主融合部に摩擦係合させるように構成され、前記フック部は前記重合片上に露出させ、あるいは重合片と前記テープ基体との間へ収納できるように構成されていることを特徴とするカーテン。
【発明の詳細な説明】
【０００１】
【発明の属する技術分野】
本発明は、フックを装着したままで洗濯、アイロンかけを支障なく行うことができるカーテンに関するものである。
【０００２】
【従来の技術】
カーテン本体と、カーテン本体の上縁に沿って横方向に縫着されるフック取付け用のテープと、このテープに横方向に所定の相互間隔をおいて取り付けられる複数の弾性合成樹脂製フックとを具備するカーテンであって、フックを装着したまま洗濯やアイロンかけを支障なく行うことができるものが、特開平１１−２５３３０１号の公報（特に図６，図７）に記載されている。
【０００３】
このカーテンは、フックをカーテン面と平行になるようにテープ上のポケット部へ取り付けて構成される。テープは、横方向に連続的に並んで設けられた複数のポケット部を有する。フックは、ポケット部へ挿入して係止される係止部と、このポケット部から延出して湾曲したフック部とを有する。係止部は、ほぼＵ字状に湾曲した杆で、それの外側縁から係合突子を上広がりに傾斜して延出させてある。フック部は、隣接する他のポケット部内へ収納したり、露出させたりすることができる。フック部は、使用時には露出させ、洗濯時にはポケット部内へ収納して絡まりを防止する。
このフックは、Ｕ字状の係止部の上端部を指で摘んで上端部間を接近させるように弾性的に撓ませた状態でポケット部に対して抜き差しできるが、一端側がテープに掛からないため、挿入深さを一定にする難しく、場合によってはポケット部の下方へはみ出してしまうおそれがある。また一端側がポケット部内にあるため取り外し時に指を掛けにくく、取り外し操作が必ずしも容易でない。
【０００４】
【発明が解決しようとする課題】
従って、本発明は、フックを装着したままで洗濯、アイロンかけを支障なく行うことができるカーテンであって、フックをテープ上へ着脱する操作がより容易なものを提供することを課題としている。
【０００５】
【課題を解決するための手段】
本発明においては、上記課題を解決するため、カーテン本体２と、それの上縁に横方向に縫着されるフック取付け用のテープ３と、このテープ３に横方向に所定の相互間隔をおいて取り付けられる複数のフック４とを具備させてカーテン１を構成する。
テープ３は、横方向に長いテープ基体５と、このテープ基体５のカーテン本体２への接合面と反対の面上重なって横方向に延長する重合片６とを備える。
この重合片６は、横方向に所定の相互間隔をおいてテープ基体５と縦方向直線状に融合する左右一対の主融合部６ａと、これら主融合部６ａの左又は右に間隔をおいてテープ基体５と縦方向直線状に融合部する第１及び第２の押さえ融合部６ｂ，６ｃとによってテープ基体５につながる。
フック４は、Ｖ字状に湾曲した係止部４ａと、この係止部４ａの一方の上端部から折り返して下方へ延出するよう湾曲する鈎部４ｃと、係止部４ａの他方の上端部から折り返して下方へ延出するよう湾曲するフック部４ｃとを有する。係止部４ａには係合突子４ｄが突設される。
係止部４ａは、テープ３の左右一対の主融合部４ａの間に弾性的に圧縮して挿入され、鈎部４ｃは、一方の主融合部６ａの上縁を越え隣接する第１押さえ融合部６ｂとの間へ挿入され、フック部４ｂは、他方の主融合部６ａ及び第２押さえ融合部６ｃの上縁を越え第２押さえ融合部６ｃの側方に下端部が配置されるようにテープ３上に取り付けられる。係止部４ａの係合突子４ｄは主融合部６ａの対向面に係合する。フック部４ｂは使用時には重合片６上に露出させ、洗濯時には重合片６とテープ基体５との間へ収納できる。鈎部４ｃは第１押さえ融合部６ｂに掛かってフック４の挿入位置を規制し、下方への抜け出しを阻止する。第１押さえ融合部６ｂは、鈎部４ｃの隣接位置で重合片６を押さえ、鈎部４ｃの露出を防止する。第２押さえ融合部６ｃは、フック部４ｂの隣接位置で重合片６を押さえ、洗濯時のフック部４ｂの露出を防止する。
【０００６】
【発明の実施の形態】
図面を参照して本発明の実施の形態を説明する。図１はカーテンの正面図、図２はカーテンの上部の拡大正面図、図３はテープの正面図、図４はテープの平面図、図５はフックの正面図、図６はフックの圧縮状態の説明図である。
【０００７】
図１において、カーテン１は、カーテン本体２の上縁に沿って横方向にフック取付け用のテープ３を縫着し、これに所定間隔でフック４を装着して成る。
【０００８】
図１ないし図４に示すように、テープ３は、横方向に長いテープ基体５と、このテープ基体５のカーテンへの縫着面と反対の面上に重なって横方向に延長する重合片６とを具備する。
この重合片６は、その延長途上において、融合部６ａ，６ｂ，６ｃによってテープ基体５につながっている。融合部６ａ，６ｂ，６ｃは、縦方向直線状にテープ基体５に融合している。即ち、横方向に所定の相互間隔をおいて左右一対の主融合部６ａ，６ａが設けられる。これらの主融合部６ａの左又は右に間隔をおいて第１及び第２の押さえ融合部６ｂ，６ｃが設けられる。テープ基体５と重合片６とは、編物又は織物にて一体に構成することができる。
【０００９】
フック４は、弾性合成樹脂で一体成型して成り、テープ３へ係止される係止部４ａと、図示しないカーテンランナへ掛けられるフック部４ｂと、テープ３へ掛け止められる鈎部４ｃとを具備する。係止部４ａ、フック部４ｂ、鈎部４ｃは、ほぼ同一平面上に配置され、テープ５の面と平行になるようテープ５に装着される（図１、図２）。
【００１０】
係止部４ａは、Ｖ字状に湾曲している。鈎部４ｃは、係止部４ａの一方の上端部から折り返して下方へ延出する。フック部４ｂは、係止部４ａの他方の上端部から折り返して下方へ延出する。フック部４ａには、係合突子４ｄが突設される。
【００１１】
係止部４ａは、図６に示すように、両端間を閉じるように弾性的に圧縮してテープ３の左右一対の主融合部６ａの間に挿入される。挿入後は、両端間が開くように復元し、係合突子６ｄを左右両側の融合部６ａに圧接させて摩擦係合（図１、図２）させる。鈎部４ｃは、一方の主融合部６ａの上縁を越え、隣接する第１押さえ融合部６ｂとの間へ挿入される。フック部４ｂは、他方の主融合部６ａ及び第２押さえ融合部６ｃの上縁を越え、第２押さえ融合部６ｃの側方に下端部が配置されるようにテープ３上に取り付けられる。係止部６ａの係合突子６ｄは、主融合部６ａの対向面に係合する。フック部４ｂは、使用時には重合片６上に露出させ（図２右側）、洗濯時には重合片６とテープ基体５との間へ収納（図２左側）できる。鈎部４ｃは、主融合部６ａの上縁に掛かってフック４の挿入深さ規制し、下方への抜け出しを阻止する。第１押さえ融合部６ｂは、鈎部４ｃに近い位置で重合片６を押さえ、鈎部４ｃの露出を防止する。第２押さえ融合部６ｃは、フック部４ｂに近い位置で重合片６を押さえ、洗濯時のフック部４ｂの露出を防止する。フック４を取り外すときは、図６に示すように、係止部４ａの両端を指で摘み、両端間を閉じるように弾性的に圧縮して主融合部６ａ間から引き抜けばよい。
【００１２】
カーテン１をランナに吊るときには、図２の右側のフック４のように、フック部４ｂを露出させる。洗濯時、あるいはアイロンかけ時には、図２の左側のフック４のように、フック部４ｂを重合片６内に収納する。こうすれば洗濯時にフック４同士が絡み合ったり、アイロン掛けの邪魔になることがない。フック部４ｂの収納、露出は容易である。
【００１３】
【発明の効果】
以上のように、本発明においては、フックを装着したままで洗濯、アイロンかけを支障なく行うことができるカーテンであって、フックをテープ上へ着脱する操作がより容易で、しかも容易に脱落することがないものを提供できる。
【図面の簡単な説明】
【図１】カーテンの正面図である。
【図２】カーテンの一部の拡大正面図である。
【図３】テープの正面図である。
【図４】テープの平面図である。
【図５】フックの正面図である。
【図６】フックの圧縮操作状態の説明図である。
【符号の説明】
１      カーテン
２      カーテン本体
３      テープ
４      フック
４ａ    係止部
４ｂ    フック部
４ｃ    鈎部
４ｄ    係合突子
５      テープ基体
６      重合片
６ａ    主融合部
６ｂ    第１押さえ融合部
６ｃ    第２押さえ融合部
【図１】
0003585035.tif 000002
【図２】
0003585035.tif 000003
【図３】
0003585035.tif 000004
【図４】
0003585035.tif 000005
【図５】
0003585035.tif 000006
【図６】
0003585035.tif 000007